(57)【要約】【課題】電子機器の防水性能を高めつつ小型化を実現する。【解決手段】CPU２６がBIOSプログラム３２に従ってメインディスプレイ５の表示輝度やスピーカー２２の出力音量を制御する。すなわち、POS端末１は、BIOSプログラム３２が起動している状態だけでメインディスプレイ５の表示輝度やスピーカー２２の出力音量を制御可能なように構成されている。これにより、アナログ方式のスイッチを利用することなく表示輝度や出力音量を調節できるで、POS端末１の防水性能を高めつつ小型化を実現できる。【選択図】図２
2011028362.tif 000002
【特許請求の範囲】
【請求項１】
表示画面の押下位置座標を検出する座標検出部と、
BIOS制御プログラムに従って前記表示画面の表示輝度を制御する輝度制御部と、
前記BIOS制御プログラムに従って出力音量を制御する出力音量制御部とを有し、
前記BIOS制御プログラムは、
前記座標検出部の検出結果に基づいて、前記表示画面内に予め設定された、前記表示画面の表示輝度を調節する輝度調節領域又は前記出力音量を調節する音量調節領域が押下操作されたか否かを判別する判別処理と、
前記判別処理において前記輝度調節領域又は前記音量調節領域が押下されたと判別された場合、前記座標検出部により検出された表示画面の押下位置座標に基づいて、前記輝度制御部又は前記出力音量制御部を制御する
ことを特徴とする電子機器。
【請求項２】
前記輝度制御部及び前記出力音量制御部は、前記BIOS制御プログラムの実行を完了した後、OSプログラムに従って機器の動作を制御することを特徴とする請求項１に記載の電子機器。
【請求項３】
前記輝度制御部及び前記出力音量制御部は、前記OSプログラムを実行している際、前記輝度調節領域及び前記音量調節領域の押下操作を無効にすることを特徴とする請求項２に記載の電子機器。
【請求項４】
前記輝度制御部及び前記出力音量制御部は、前記OSプログラムを実行している際に前記輝度調節領域又は前記音量調節領域が押下されたと判別された場合、表示輝度又は出力音量を制御するアプリケーションプログラムに従って前記座標検出部により検出された表示画面の押下位置座標に基づいて表示輝度又は出力音量を制御することを特徴とする請求項２に記載の電子機器。
【請求項５】
前記輝度制御部及び前記出力音量制御部は、前記OSプログラムを実行している際に前記輝度調節領域又は前記音量調節領域が押下されたと判別された場合、前記BIOS制御プログラムに従って前記座標検出部により検出された表示画面の押下位置座標に基づいて表示輝度又は出力音量を制御することを特徴とする請求項２に記載の電子機器。
【請求項６】
表示画面の押下位置座標を検出する座標検出部と、
BIOS制御プログラムに従って前記表示画面の表示輝度を制御する輝度制御部と、
BIOS制御プログラムに従って出力音量を制御する出力音量制御部とを有し、
前記BIOS制御プログラムは、
前記座標検出部の検出結果に基づいて、前記表示画面内に予め設定された、前記表示画面の表示輝度を調節する輝度調節領域又は前記出力音量を調節する音量調節領域が押下操作されたか否かを判別する判別処理と、
前記判別処理において前記輝度調節領域又は前記音量調節領域が押下されたと判別された場合、前記座標検出部により検出された表示画面の押下位置座標に基づいて、前記輝度制御部又は前記出力音量制御部を制御する
ことを特徴とする商品販売データ登録装置。
【発明の詳細な説明】
【技術分野】
【０００１】
本発明は、表示輝度及び出力音量をユーザが調節可能な電子機器及び商品販売データ登録装置に関する。
【背景技術】
【０００２】
従来より、表示画面の輝度やスピーカーの出力音量を調節するボリュームスイッチを有する電子機器が知られている（特許文献１参照）。
【発明の概要】
【発明が解決しようとする課題】
【０００３】
従来の電子機器では、ボリュームスイッチがアナログ方式のスイッチング素子により構成されているために、スイッチング素子と制御装置を繋ぐための配線や配線経路が必要になり、防水性能を高めつつ小型化することが困難であった。
【０００４】
本発明は、上記に鑑みてなされたものであって、その目的は、防水性能を高めつつ小型化が可能な電子機器及び商品販売データ登録装置を提供することにある。
【課題を解決するための手段】
【０００５】
上述した課題を解決し、目的を達成するために、本発明は、表示画面の押下位置座標を検出する座標検出部と、BIOS制御プログラムに従って表示画面の表示輝度を制御する輝度制御部と、BIOS制御プログラムに従って出力音量を制御する出力音量制御部とを有し、BIOS制御プログラムは、座標検出部の検出結果に基づいて、表示画面内に予め設定された、表示画面の表示輝度を調節する輝度調節領域又は出力音量を調節する音量調節領域が押下操作されたか否かを判別する判別処理と、判別処理において輝度調節領域又は音量調節領域が押下されたと判別された場合、座標検出部により検出された表示画面の押下位置座標に基づいて、輝度制御部又は出力音量制御部を制御することにより、表示輝度又は出力音量を制御することを特徴とする。
【発明の効果】
【０００６】
本発明は、防水性能を高めつつ小型化できるという効果を奏する。
【図面の簡単な説明】
【０００７】
【図１】図１は、本発明の実施形態となるPOS端末の概観を示す図である。
【図２】図２は、図１に示すPOS端末の内部構成を示すブロック図である。
【図３】図３は、メインディスプレイ又はサブディスプレイの構成を示す模式図である。
【発明を実施するための形態】
【０００８】
以下、図面を参照して、本発明に係る電子機器の実施形態を詳細に説明する。なお以下では、本発明に係る電子機器の一実施形態としてPOS(Point Of Sales)端末（商品販売データ登録装置）を例示する。但し本発明を適用可能な電子機器はPOS端末に限定されることはなく、表示輝度及び出力音量をユーザが調節可能な電子機器であればあらゆる電子機器に適用することができる。
【０００９】
〔概観構成〕
始めに、図１を参照して、本発明の実施形態となるPOS端末の概観構成を説明する。
【００１０】
本発明の実施形態となるPOS端末１は、図１に示すように、現金等を収容するドロワ２の上に載置され、ドロワ２の引出し２ａの開閉を制御する。POS端末１の正面側にはキーボード３とモードスイッチ４が設けられている。キーボード３は、オペレータが預かり金額等を入力するための操作部である。モードスイッチ４は、登録，点検，精算，設定等の各種業務モードを選択するための操作部であり、鍵により操作される。
【００１１】
POS端末１の正面側にはオペレータ用のメインディスプレイ５が接続され、背面側には客用のサブディスプレイ６が接続されている。メインディスプレイ５及びサブディスプレイ６は、バックライトを備えた液晶カラーディスプレイにより構成され、販売登録された商品の品名及び価格や１取引の合計金額や釣銭額等を表示する。
【００１２】
POS端末１はレシート及びジャーナルを印字するR/Jプリンタ７を有し、R/Jプリンタ７により印字されたレシートはPOS端末１の正面側に形成されたレシート発行口８から発行される。POS端末１には、商品の販売登録の際に商品ラベルに印刷されたバーコードを読取るためのコードスキャナ９が接続されている。
【００１３】
〔制御系の構成〕
次に、図２を参照して、上記POS端末１の制御系の構成を説明する。
【００１４】
上記POS端末１は、制御系として、キーボードコントローラ１１、プリンタコントローラ１２、スキャナコントローラ１３、Ｉ／Ｏ装置１４、第１タッチパネル１５、第２タッチパネル１６、RS232Cインタフェイス１７，１８、RAM(Random Access Memory)１９、ROM(Read Only Memory)２０、出力音量コントローラ２１、スピーカー２２、RTC(Real Time Clock)２３、第１VGA(Video Graphics Array)コントローラ２４、第２VGAコントローラ２５、及びCPU(Central Processing Unit)２６を備える。
【００１５】
キーボードコントローラ１１は、キーボード３への操作入力に対応した信号を取り込みCPU２６に出力する。プリンタコントローラ１２は、R/Jプリンタ７を制御することにより、CPU２６から供給される印字データに基づく印字及びジャーナル印字を実行する。スキャナコントローラ１３は、コードスキャナ９により読み取られたコード信号を取り込みCPU２６に出力する。Ｉ／Ｏ装置１４は、モードスイッチ４から発せられるモード選択信号の取り込みや、ドロワ２の引出し２ａを自動開放させるためのドロワ解放装置（図示せず）に対する駆動信号の出力等を実行する。
【００１６】
第１タッチパネル１５は、メインディスプレイ５に配設され、メインディスプレイ５の押下座標値を出力する。第２タッチパネル１６は、サブディスプレイ６に配設され、サブディスプレイ６の押下座標値を出力する。RS232Cインタフェイス１７は、第１タッチパネル１５から出力された押下座標値をRAM１９に出力する。RS232Cインタフェイス１８は、第２タッチパネル１６から出力された押下座標値をRAM１９に出力する。RAM１９はCPU２６のワーキングエリアとして機能する。
【００１７】
ROM２０は、OS(Operating System)プログラム３１，BIOS(Basic Input/Output System)プログラム３２，及びアプリケーションプログラム３３を記憶する。BIOSプログラム３２は、起動時に実行されるハードウェアとの間の入出力処理を制御するコンピュータプログラムであり、ハードウェアのテストを行うための処理命令や輝度制御処理及び出力音量制御処理に関する処理命令を含む。出力音量コントローラ２１は、スピーカー２２の出力音量を制御する。RTC２３は現在時刻を計時する。
【００１８】
BIOSプログラム３２はROM２０に予め組み込まれて提供される。但し、BIOSプログラム３２は、インストール可能な形式又は実行可能な形式のファイルでCD-ROM，フレキシブルディスク（FD），CD-R，DVD(Digital Versatile Disk)等のコンピュータで読み取り可能な記録媒体に記録して提供するように構成してもよい。またBIOSプログラム３２をインターネット等のネットワークに接続されたコンピュータ上に格納し、ネットワーク経由でダウンロードさせることにより提供するように構成してもよい。またBIOSプログラム３２をインターネット等のネットワーク経由で提供又は配布するように構成してもよい。
【００１９】
第１VGAコントローラ２４は、メインディスプレイ５の駆動を制御することにより、CPU２６から供給される表示データに対応した文字等をメインディスプレイ５に表示させる。第２VGAコントローラ２５は、サブディスプレイ６の駆動を制御し、CPU２６から供給される表示データに対応した文字等をサブディスプレイ６に表示させる。CPU２６は、ROM２０に記憶されている各種コンピュータプログラムを実行することによりPOS端末１全体の動作を制御する。
【００２０】
〔メインディスプレイ及びサブディスプレイの構成〕
メインディスプレイ５（又はサブディスプレイ６）は、図３に示すように、CPU２６がOSプログラム３１やアプリケーションプログラム３３を実行している際に各種情報を表示出力するPOSアプリ領域Ｒ１と、CPU２６がBIOSプログラム３２を実行している際に機能するBIOSプログラム領域Ｒ２を有する。第１タッチパネル１５（又は第２タッチパネル１６）は、POSアプリ領域Ｒ１とBIOSプログラム領域Ｒ２を含む位置に配置され、POSアプリ領域Ｒ１とBIOSプログラム領域Ｒ２の押下位置座標を出力する。
【００２１】
BIOSプログラム領域Ｒ２は、CPU２６がBIOSプログラム３２を実行することによりOSプログラム３１やアプリケーションプログラム３３に関係なくPOS端末１を制御可能な領域であり、メインディスプレイ５（又はサブディスプレイ６）の表示輝度を調節するための輝度調節領域４１と、スピーカー２２の出力音量を調節するための音量調節領域４２を有する。
【００２２】
CPU２６は、第１タッチパネル１５及びRS232Cインタフェイス１７を介して輝度調節領域４１が押下されたことを検出した場合、BIOSプログラム３２に従って押下位置座標に対応する表示輝度になるように第１VGAコントローラ２４を制御する。本実施形態では、押下位置座標が左端位置から右端位置に向かうに従ってメインディスプレイ５の表示輝度が高くなるように設定されている。CPU２６は、予め記憶されている押下位置座標と表示輝度の対応関係を示すデータを参照して、押下位置座標に対応する表示輝度を特定し、特定された表示輝度になるように第１VGAコントローラ２４を制御する。
【００２３】
第１タッチパネル１５及びRS232Cインタフェイス１７を介して音量調節領域４２が押下されたことを検出した場合には、CPU２６は、BIOSプログラム３２に従って押下位置座標に対応する出力音量になるように出力音量コントローラ２１を介してスピーカー２２の出力音量を制御する。本実施形態では、押下位置座標が下端位置から上端位置に向かうに従ってスピーカー２２の出力音量が大きくなるように設定されている。CPU２６は、予め記憶されている押下位置座標と出力音量の対応関係を示すデータを参照して、押下位置座標に対応する出力音量を特定し、特定された出力音量になるようにスピーカー２２の出力音量を制御する。
【００２４】
なお本実施形態では、BIOSプログラム３２だけが起動している状態でメインディスプレイ５の表示輝度やスピーカー２２の出力音量を制御可能なようにPOSアプリ領域Ｒ１のほかにBIOSプログラム領域Ｒ２を設けた。従って、POS端末１の電源投入後（起動処理完了後）にBIOSプログラム３２からOSプログラム３１やアプリケーションプログラム３３に制御が渡された際には、輝度調節領域４１や音量調節領域４２の押下操作を無効にする、又は、輝度調節領域４１や音量調節領域４２が押下操作された際に第１タッチパネル１５（又は第２タッチパネル１６）がアプリケーションプログラム３３に押下位置座標を出力することによりアプリケーションプログラム３３が表示輝度や出力音量を調整するとよい。またBIOSプログラム３２からOSプログラム３１やアプリケーションプログラム３３に制御が渡された後であっても、第１タッチパネル１５（又は第２タッチパネル１６）がBIOSプログラム３２に押下位置座標を出力することにより、アプリケーションプログラム３３による制御と連動させて輝度調節領域４１や音量調節領域４２の押下操作（BIOSプログラム３２による制御動作）を有効にするようにしてもよい。
【００２５】
以上の説明から明らかなように、本発明の実施形態となるPOS端末１では、CPU２６がBIOSプログラム３２に従ってメインディスプレイ５の表示輝度やスピーカー２２の出力音量を制御する。換言すれば、本発明の実施形態となるPOS端末１は、BIOSプログラム３２だけが起動している状態でメインディスプレイ５の表示輝度やスピーカー２２の出力音量を制御可能なように構成されている。従って本発明の実施形態となるPOS端末１によれば、アナログ方式のスイッチを利用することなく表示輝度や出力音量を調節することができるで、POS端末１の防水性能を高めつつ小型化を実現できる。
【符号の説明】
【００２６】
１  POS端末
２  ドロワ
２ａ  引出し
３  キーボード
４  モードスイッチ
５  メインディスプレイ
６  サブディスプレイ
７  R/Jプリンタ
８  レシート発行口
９  コードスキャナ
１１  キーボードコントローラ
１２  プリンタコントローラ
１３  スキャナコントローラ
１４  Ｉ／Ｏ装置
１５  第１タッチパネル
１６  第２タッチパネル
１７，１８  RS232Cインタフェイス
１９  RAM(Random Access Memory)
２０  ROM(Read Only Memory)
２１  出力音量コントローラ
２２  スピーカー
２３  RTC(Real Time Clock)
２４  第１VGA(Video Graphics Array)コントローラ
２５  第２VGAコントローラ
２６  CPU(Central Processing Unit)
４１  輝度調節領域
４２  音量調節領域
Ｒ１  POSアプリ領域
Ｒ２  BIOSプログラム領域
【先行技術文献】
【特許文献】
【００２７】
【特許文献１】特開平５−２６５４０１号公報
【図１】
2011028362.tif 000003
【図２】
2011028362.tif 000004
【図３】
2011028362.tif 000005